(57)【要約】【課題】設計プランの自由度を確保できるとともに、組み立て施工を容易に行うことができる階段を提供する。【解決手段】複数の階段ユニット２３と複数の踊り場ユニット２２とを交互に組み立てることにより、階段２１を構築する。階段ユニット２３をその上下に隣接する他の階段ユニット２３に対して直角配置となるように組み立てる。階段ユニット２３は、平行に配置された一対のささら板５１と、そのささら板５１の複数の段部上に取り付けられた踏み板５２とより構成する。踊り場ユニット２２は、４本の支柱２４と、それらの支柱２４に四隅が支持された踊り場床組２５とより構成する。【選択図】図２
2010106637.tif 000002
【特許請求の範囲】
【請求項１】
複数の踏み板を有する階段ユニットと、踊り場床組を支柱に支持した踊り場ユニットとを組み立てて構成したことを特徴とする階段。
【請求項２】
前記階段ユニットと踊り場ユニットとを交互に、かつ階段ユニットがその上下に隣接する他の階段ユニットに対して直角配置となるように組み立てたことを特徴とする請求項１に記載の階段。
【請求項３】
前記階段ユニットは、平行に配置された一対のささら板と、そのささら板の複数の段部上に取り付けられた前記踏み板とを有することを特徴とする請求項１または２に記載の階段。
【請求項４】
前記踊り場ユニットは、４本の前記支柱と、それらの支柱に四隅が支持された前記踊り場床組とを有する請求項１〜３のうちのいずれか一項に記載のことを特徴とする階段。
【発明の詳細な説明】
【技術分野】
【０００１】
この発明は、例えば建築物の避難用階段として組み立てられるようにした階段に関するものである。
【背景技術】
【０００２】
従来、この種の階段としては、例えば特許文献１の構成が提案されている。この従来構成の屋外階段は、図１９に示すように、階段フレーム８１と、下側階段パーツ８２と、上側階段パーツ８３と、一対の踊り場床８４とから構成されている。階段フレーム８１は４本の支柱８１ａと、上端部階段支持梁８１ｂと、中央部階段支持梁８１ｃと、下側階段梁８１ｄと、上側階段梁８１ｅとから構成されている。
【特許文献１】特開２００４−３５３２５１号公報
【発明の開示】
【発明が解決しようとする課題】
【０００３】
前記特許文献１の従来構成の屋外階段では、下側階段パーツ８２及び上側階段パーツ８３が平面視で平行に延びるように配置されるとともに、下側の踊り場床８４及び上側の踊り場床８４が下側階段パーツ８２及び上側階段パーツ８３の外側に突出状態で配置されている。そのため、この屋外階段は全体として図１９示す長方形状をなす。すなわち、特許文献１の従来構成の屋外階段では、一対の踊り場床８４や上端部階段支持梁８１ｂ、中央部階段支持梁８１ｃ等が下側階段パーツ８２及び上側階段パーツ８３の２倍の幅を有している。このため、この屋外階段においては、下側階段パーツ８２及び上側階段パーツ８３を平行に配置した図１９のレイアウトを選択せざるを得ない。従って、この屋外階段を例えば建築物Ｂの隅角部に設置する場合、長方形状の設置スペースを必要として、建築物Ｂに対する収まりが悪く、設計プランの自由度を確保しにくいという問題があった。また、この屋外階段においては、各梁８１ｂ〜８１ｅが４本の支柱８１ａに支持され、各梁８１ｂ〜８１ｅに階段パーツ８３や踊り場床８４が組み立てられる。従って、組み立て前の状態では、各梁８１ｂ〜８１ｅ及び４本の支柱８１ａと階段パーツ８３及び踊り場床８４とが別部材であるため、設置現場における屋外階段の組み立てにおいてその組み立て工数が増え、施工に手間がかかるものであった。
【０００４】
この発明は、このような従来の技術に存在する問題点に着目してなされたものである。その目的は、設計プランの自由度を確保できるとともに、設置現場での組み立て施工を容易に行うことができる階段を提供することにある。
【課題を解決するための手段】
【０００５】
上記の目的を達成するために、この発明は、複数の踏み板を有する階段ユニットと、踊り場床組を支柱に支持した踊り場ユニットとを組み立てて構成したことを特徴とするものである。
【０００６】
従って、この発明においては、設置現場においては、階段ユニットと踊り場ユニットとを組み立てることにより、階段の施工を行うことができるため、組み立てが容易で施工性を向上させることができる。しかも、階段ユニットと踊り場ユニットとを自在に組み合わせて階段を構成することができる。従って、階段のレイアウトを自在に設定できて、設計プランの自由度を確保できる。
【０００７】
前記の構成において、階段ユニットと踊り場ユニットとを交互に、かつ階段ユニットがその上下に隣接する他の階段ユニットに対して直角配置となるように組み立てることが好ましい。
【０００８】
このようにすれば、この発明においては、例えば、階段を建築物の隅角部の屋外側に隣接して設置する場合、長方形状の広い設置スペースを必要とすることなく、ほぼ正方形状の設置スペースで建築物に対して収まりよく設置することができる。また、建築物の間取りの自由度が向上し、結果として設計プランの自由度が向上する。
【０００９】
また、前記の構成において、前記階段ユニットは、平行に配置された一対のささら板と、そのささら板の複数の段部上に取り付けられた踏み板とより構成するとよい。
このように構成した場合には、ささら板と複数の踏み板とよりなる階段ユニットを、工場においてあらかじめ製作することができるとともに、設置現場において踊り場ユニットと容易に組み立てることができる。
【００１０】
さらに、前記の構成において、前記踊り場ユニットは、４本の支柱と、それらの支柱に四隅が支持された踊り場床組とにより構成するとよい。このように構成した場合には、４本の支柱と踊り場床組とよりなる踊り場ユニットを、工場においてあらかじめ製作することができるとともに、設置現場において階段ユニットと容易に組み立てることができる。
【発明の効果】
【００１１】
以上のように、この発明によれば、設置現場での組み立て施工を容易に行うことができるとともに、設計プランの自由度を向上できるという効果を発揮する。
【発明を実施するための最良の形態】
【００１２】
以下に、この発明の一実施形態を、図１〜図１７に基づいて説明する。
図１〜図４に示すように、この実施形態の階段２１は、複数の踊り場ユニット２２と複数の階段ユニット２３とを交互に組み立てることにより、建築物Ｂの隅角部の屋外側において平面正方形をなすように構築されている。この場合、各階段ユニット２３がその上下に隣接する他の階段ユニット２３に対して踊り場ユニット２２を間に挟んで直角配置となるように組み立てられている。
【００１３】
すなわち、階段２１の設置位置には、４つの踊り場ユニット２２が相互に間隔をおいた状態で、対角線上の四コーナ部に位置するように配置されている。さらに、各踊り場ユニット２２上には、別の踊り場ユニット２２が積み上げられている。そして、最下階と最上階とを除き、ひとつの階につき、それぞれ４組の踊り場ユニット２２と、踊り場ユニット２２間を連結する４組の階段ユニット２３とが用いられている。そして、図２に示すように、各組の踊り場ユニット２２の踊り場床組２５の位置が、右回り方向へ順に高くなるように配置されている。図３及び図４に示すように、最下階の避難口（出入り口）Ｂａと対応する位置においては、踊り場ユニット２２は設けられておらず、４本の短い補助支柱２６のみが立設されている。従って、最下階の踊り場ユニット２２は３組である。図６から明らかなように、最上階と対応する位置においては、３組の踊り場ユニット２２と２組の階段ユニット２３とが設けられている。そして、後述の説明から理解されるように、この実施形態において、工場において溶接及びボルト締め等によりあらかじめ製作され、施工現場においては、それらのあらかじめ製作された部材を、溶接を用いることなく、ボルト締めすることによって階段が組み立てられる。
【００１４】
図１〜図４に示すように、前記踊り場ユニット２２は、断面形Ｌ字状の鋼材，すなわちアングル材よりなり、コーナ部を内側に向けた４本の支柱２４と、それらの支柱２４の上端部付近に四コーナ部が固定支持された平面正方形状をなす鋼材製の踊り場床組２５とより構成されている。そして、最下階の踊り場ユニット２２を除く各階の踊り場ユニット２２においては、支柱２４の長さが、階段を付設する建築物Ｂの階の床面からその上階の床までの間隔とほぼ等しくなるように形成されている。
【００１５】
一方、建築物Ｂの最下階としての１階及び最上階と対応する部分に設置される踊り場ユニット２２においては、図４に示すように、設置現場において支柱２４に支柱２４と同じ断面形状の補助支柱２６を継ぎ足したり、支柱２４の端部を切断したりして、支柱２４の長さが踊り場床組２５の高さ位置に対応できるように形成されている。
【００１６】
そして、各階ごとの４つの踊り場ユニット２２のうちで、１つの踊り場ユニット２２の踊り場床組２５が建築物Ｂの２階以上の各階の床と同一高さに配置されて、建築物Ｂの各階の避難口Ｂａから踊り場床組２５上を通って避難できるようになっている。また、図３に示すように、階段２１の最下部及び建築物Ｂの１階の避難口Ｂａからは、踊り場ユニット２２の支柱２４間を通って、出口２７より外部に避難できるようになっている。
【００１７】
図１〜図３に示すように、４つの踊り場ユニット２２において内側に隣接配置された支柱２４間には、手すり２８がボルト（図示しない）により取り付けられている。この手すり２８は、各踊り場ユニット２２間の各階段ユニット２３の内周側に沿ってその階段ユニット２３の傾斜に沿って傾斜しながら延びるように配置されている。なお、図面（図２等）においては、手すり２８は板材により構成されたものが描かれているが、パイプ材により構成されたものを使用してもよい。このように構成した場合は、パイプ材の両端に板材を溶接するとともに、支柱２４に別の板材を溶接し、それらの板材をボルトにって固定することにより、手すり２８が設置される。
【００１８】
図１、図４及び図６に示すように、前記複数の踊り場ユニット２２において建築物Ｂの本体部に隣接配置された踊り場ユニット２２の支柱２４は、建築物Ｂの壁面から突設された複数の連結金具２９に連結固定されて補強されている。
【００１９】
図５及び図６に示すように、建築物Ｂの屋上階Ｂｂと対応する部分においては、最上部の踊り場ユニット２２の踊り場床組２５と建築物Ｂの屋上階Ｂｂとの間に、前記踊り場ユニット２２間の階段ユニット２３に代えて、前記階段ユニット２３の２組分のスペースを有する屋上用階段ユニット３０が架設されている。屋上用階段ユニット３０の両側上部には、手すり３１が設けられている。そして、この屋上用階段ユニット３０を通り、パラペットＢｐを越えて建築物Ｂの屋上階Ｂｂ側にも避難できるようになっている。
【００２０】
図７に示すように、踊り場ユニット２２及び階段ユニット２３の両側に位置するように、各支柱２４間には、図示しないボルトにより側壁３２が取り付けられている。そして、これらの側壁３２により、各階段ユニット２３及び各踊り場ユニット２２の踊り場床組２５の側部の外側が覆われている。なお、この側壁３２は、必要な箇所に適宜に設けられるものである。
【００２１】
前記踊り場ユニット２２，階段ユニット２３，手すり３１等の金属部品には、防錆メッキあるいは防錆塗装が施されている。
次に、前記踊り場ユニット２２の構成について詳細に説明する。図８〜図１０に示すように、踊り場ユニット２２は、製造工場において４本の支柱２４間に踊り場床組２５を溶接またはタッピングネジ４１によって固定することにより製造されている。図９及び図１０において、符号４８が溶接部分を示す。踊り場床組２５は、複数の鋼材製の第１補強部材３５Ａ，３５Ｂと、複数の鋼材製の第２補強部材３６と、複数の鋼板製の床板３７とより構成されている。前記各第１補強部材３５Ａ，３５Ｂは、対角線上に位置する４本の支柱２４間において互いに交叉するように溶接固定されている。各第２補強部材３６は、隣接する第１補強部材３５Ａ，３５Ｂ間に架設されるように溶接固定されている。各床板３７は平面三角形状をなし、両補強部材３５Ａ，３５Ｂ，３６の上面に取付金具３８Ａ〜３８Ｅを介してタッピングネジ４１により固定支持されている。
【００２２】
すなわち、図９及び図１１に示すように、前記踊り場床組２５における各補強部材３５Ａ，３５Ｂ，３６の両側面には、断面形ほぼＬ字状をなす複数の前記取付金具３８が複数のボルト３９及びナット４０により固定されている。各取付金具３８Ａ〜３８Ｅの上壁には、複数の取付孔３８ａが補強部材３５Ａ，３５Ｂ，３６の延長方向に間隔をおいて形成されている。そして、図９に示すように、製造工場において、床板３７上から取付金具３８の取付孔３８ａに複数のタッピングネジ４１を螺合することによって、２枚の床板３７が補強部材３５Ａ，３５Ｂ，３６上に固定されている。また、残りの２枚の床板３７は、階段２１の設置現場において、踊り場ユニット２２に階段ユニット２３を組み立てた後に、前記の場合と同様に複数のタッピングネジ４１により、補強部材３５Ａ，３５Ｂ，３６上に固定される。
【００２３】
図８〜図１０に示すように、前記踊り場ユニット２２の踊り場床組２５において、階段２１の設置現場で床板３７が取り付けられる側の隣接する各一対の支柱２４間の位置には、一対の鋼板製のブラケット４２が間隔をおいた状態で第１補強部材３５Ａ，３５Ｂに対して溶接固定されている。そして、これらのブラケット４２に対して、後述する階段ユニット２３のささら板５１の上端取付部５１ｂ及び下端取付部５１ｃが固定されることにより、踊り場ユニット２２と階段ユニット２３とが組み立てられる。
【００２４】
図８〜図１０に示すように、前記ブラケット４２が設けられていない側の隣接する各一対の支柱２４間の位置には、上下に対をなす鋼材製の補助補強部材４３が溶接により架設固定されている。
【００２５】
図１〜図４に示すように、各踊り場ユニット２２間に階段ユニット２３が組み立てられた状態で、各踊り場ユニット２２間において外側に隣接する支柱２４の間には、上下に対をなす鋼材製の連結部材４４がボルトにより架設固定されている。すなわち、図９に示すように、製造工場においてブラケット４８が支柱２４に溶接により固定され、そのブラケット４８に連結部材４４の両端部がボルト４９により固定されている。そして、この連結部材４４により、隣接配置された踊り場ユニット２２が、相互間で相対移動を生じないように連結固定されている。
【００２６】
図４、図６、図１２及び図１３に示すように、積み上げ状態にある踊り場ユニット２２の支柱２４間、及び継ぎ足し状態にある踊り場ユニット２２の支柱２４と補助支柱２６との間は、一対の固定金具４５により連結固定されている。すなわち、断面形ほぼＬ字状をなす支柱２４間の連結部、及び支柱２４と補助支柱２６との間の連結部には、内外一対の固定金具４５が接合配置され、複数のボルト４６及びナット４７により固定されている。そして、これらの固定金具４５により、支柱２４間の連結部、及び支柱２４と補助支柱２６との間の連結部が、位置ずれを生じないように固定されている。
【００２７】
次に、前記階段ユニット２３の構成について詳細に説明する。図１４及び図１５に示すように、階段ユニット２３は、平行に配置された一対の鋼板製のささら板５１と、そのささら板５１間に架設された複数の鋼板製の踏み板５２とから構成されている。各ささら板５１の上端面には、踏み板５２を支持するための複数の段部５１ａが形成されている。各踏み板５２は、ほぼ水平に延びる踏み板本体部５２ａと、その踏み板本体部５２ａの後端縁から垂直上方に起立する蹴上げ板部５２ｂとを有するように、断面形ほぼＬ字状に形成されている。踏み板本体部５２ａの前端縁には、折り曲げ部５２ｃが下方に向かって形成されている。
【００２８】
そして、図１４に示すように、製造工場において複数の踏み板５２が一対のささら板５１の各段部５１ａ上に配置された状態で、両ささら板５１に対して溶接固定されることにより、階段ユニット２３が形成されている。この場合、各踏み板５２の両端部がささら板５１から両側方へ突出されるように、両ささら板５１が踏み板５２の両端部よりも内側に位置している。このため、階段ユニット２３の両側面にささら板５１が露出しないように構成されている。
【００２９】
図１４及び図１５に示すように、前記各ささら板５１の上下両端部には、上端取付部５１ｂ及び下端取付部５１ｃが突出形成されている。そして、図２及び図９に示すように、このささら板５１の上端取付部５１ｂ及び下端取付部５１ｃをボルト５３及びナット５４によって、踊り場ユニット２２における踊り場床組２５のブラケット４２に固定することにより、階段ユニット２３が隣接する踊り場ユニット２２の踊り場床組２５間に組み立てられている。
【００３０】
図４及び図１６に示すように、建築物Ｂの１階と対応する部分に設置される隣接の支柱２４の下端部間、あるいはその支柱２４に継ぎ足された隣接の補助支柱２６の下端部間には、鋼板製の第１固定板５８が製造工場において溶接固定されている。また、建築物Ｂの１階と対応する部分に配置される最下部の階段ユニット２３におけるささら板５１の下端取付部５１ｃ間には、鋼板製の第２固定板５９が製造工場において溶接固定されている。
【００３１】
そして、第１固定板５８の孔が設置現場の基礎コンクリート６０に埋め込まれた一対の第１ボルト６１に挿通された状態で、それらの第１ボルト６１に複数のナット６２が螺合されることにより、各踊り場ユニット２２における支柱２４または補助支柱２６の下端部が基礎コンクリート６０に対して固定されている。また、第２固定板５９孔が基礎コンクリート６０に埋め込まれた一対の第２ボルト６３に挿通された状態で、それらの第２ボルト６３に複数のナット６４が螺合されることにより、最下部の階段ユニット２３におけるささら板５１の下端部が基礎コンクリート６０に対して固定されている。そして、前記第１，第２固定板５８，５９が埋設されるように、基礎コンクリート６０上に仕上げのコンクリート６５が打設されている。
【００３２】
図６及び図１７に示すように、前記屋上用階段ユニット３０は、平行に配置された一対の鋼板製の第１ささら板６７と、その第１ささら板６７に製造工場においてボルト７４及びナット７５により連結された一対の鋼板製の第２ささら板６８と、両ささら板６７，６８上の複数の段部６７ａ，６８ａに製造工場において溶接固定された複数の踏み板６９と、両ささら板６７，６８の上端部に跨って製造工場において溶接固定された頂板７０とから構成されている。第１ささら板６７は、最上部の踊り場ユニット２２の踊り場床組２５から建築物Ｂ側に向かって上昇傾斜するように延長配置されている。第２ささら板６８は、第１ささら板６７の上端部から建築物Ｂの屋上階Ｂｂ側に向かって下降傾斜するように延長配置されている。
【００３３】
前記各第１ささら板６７の下端部には、最上部の踊り場ユニット２２における踊り場床組２５のブラケット４２に取り付けるための取付部６７ｂが形成されている。両第２ささら板６８の下端部間には固定板７１が製造工場において溶接固定されている。そして、この固定板７１が屋上階Ｂｂの床に埋め込まれた複数のボルト７２に挿通された状態で、それらのボルト７２に複数のナット７３が螺合されることにより、屋上用階段ユニット３０における第２ささら板６８の下端部が屋上階Ｂｂの床に対して固定されている。
【００３４】
次に、前記のように構成された階段２１の設置方法について説明する。
図１に示すように、階段２１を建築物Ｂのコーナ部の屋外側に隣接して構築する場合には、あらかじめ製造工場において踊り場床組２５を含む必要数の踊り場ユニット２２，階段ユニット２３，３０，補助支柱２６等が製造される。そして、図３及び図４に示すように、建築物Ｂの１階と対応する部分の基礎コンクリート６０上に、踊り場床組２５を含む踊り場ユニット２２と補助支柱２６とを相互に間隔をおいた状態で、対角線上の四コーナに位置するように立設して配置する。この場合、１階の踊り場ユニット２２の支柱２４はその長さが複数段階となるように工場においてあらかじめ加工されている。
【００３５】
また、図４及び図１６に示すように、各踊り場ユニット２２の支柱２４の下端部間、あるいは補助支柱２６の下端部間に第１固定板５８が工場においてあらかじめ溶接固定されている。そして、これらの第１固定板５８の孔を基礎コンクリート６０に埋め込まれた一対の第１ボルト６１に挿通するとともに、それらの第１ボルト６１にナット６２を螺合することにより、各踊り場ユニット２２における支柱２４または補助支柱２６の下端部を基礎コンクリート６０に固定する。この状態で、図２に示すように、４つの踊り場ユニット２２の踊り場床組２５の位置が、右回り方向へ順に高くなるように配置される。それとともに、図１に示すように、ひとつの踊り場ユニット２２の踊り場床組２５が、建築物Ｂの二階の避難口Ｂａと対応する位置に配置される。
【００３６】
その後、４つの踊り場ユニット２２の踊り場床組２５間に、階段ユニット２３を順に組み立てる。この場合、図２及び図９に示すように、各階段ユニット２３のささら板５１の上端取付部５１ｂ及び下端取付部５１ｃをボルト５３及びナット５４によって、踊り場床組２５のブラケット４２に固定することにより、階段ユニット２３を隣接する踊り場ユニット２２の踊り場床組２５間に組み立てることができる。また、この階段ユニット２３の組み立て時には、図９に示すように、踊り場床組２５における２枚の床板３７が製造工場で未装着の状態にあって、ブラケット４２の上方が開放されている。このため、ささら板５１の上端取付部５１ｂ及び下端取付部５１ｃとブラケット４２との固定作業を、踊り場床組２５の上方から容易に行うことができる。
【００３７】
さらに、図４及び図１６に示すように、建築物Ｂの一階と対応する部分に配置される最下部の階段ユニット２３については、ささら板５１の下端取付部５１ｃ間に第２固定板５９が工場においてあらかじめ溶接固定されている。そして、この第２固定板５９の孔を基礎コンクリート６０に埋め込まれた一対の第２ボルト６３に挿通するとともに、それらの第２ボルト６３に複数のナット６４を螺合することにより、最下部の階段ユニット２３におけるささら板５１の下端部を基礎コンクリート６０に固定する。その後、第１，第２固定板５８，５９が埋設されるように、基礎コンクリート６０上に仕上げのコンクリート６５を打設する。
【００３８】
そして、この踊り場ユニット２２に対する階段ユニット２３の組み立て後に、各踊り場ユニット２２の踊り場床組２５上に未装着状態の２枚の床板３７をタッピングネジ４１により取り付ける。また、図２〜図３に示すように、各踊り場ユニット２２間において外側に隣接する支柱２４の間に、上下一対の連結部材４４をボルト４９（図９参照）により固定して、隣接配置された踊り場ユニット２２間を連結固定する。さらに、図１及び図４に示すように、建築物Ｂに隣接配置された踊り場ユニット２２の支柱２４を、建築物Ｂの壁面から突設された連結金具２９に連結固定して揺れ止めする。
【００３９】
このようにして、建築物Ｂの一階と対応する部分の階段２１、つまり建築物Ｂの一階の基礎から二階の床までに相当する部分の階段２１の組み立て作業が終了する。
続いて、建築物Ｂの二階と対応する部分の階段２１を組み立てる。この場合には、建築物Ｂの一階と対応する部分に立設された踊り場ユニット２２または支柱２４上に、新しい踊り場ユニット２２をそれぞれ積み上げる。そして、図４、図１２及び図１３に示すように、積み上げ状態の上下踊り場ユニット２２における支柱２４間の連結部に跨って、一対の固定金具４５を接合配置するとともに、それらの固定金具４５を複数のボルト４６及びナット４７により、上下の支柱２４に固定する。この支柱２４の固定により、上下の踊り場ユニット２２における支柱２４間の連結部が、位置ずれを生じないように固定される。なお、この固定金具４５は、製造工場において一方の支柱２４にあらかじめ溶接固定される。
【００４０】
その後、前述した建築物Ｂの一階と対応する部分における組み立て作業と同様に、積み上げ状態の踊り場ユニット２２に対して、階段ユニット２３の組み立て、床板３７の取り付け、連結部材４４のボルトによる固定、及び連結金具２９との連結固定を行えば、建築物Ｂの二階と対応する部分の階段２１を組み立てることができる。また、建築物Ｂの三階以上の複数階と対応する部分についても、前記二階と対応する部分の組み立て作業と同様な作業を繰り返し行うことにより、所要階数に相当する階段２１を構築することができる。
【００４１】
そして、図５、図６及び図１７に示すように、建築物Ｂの屋上階Ｂｂと対応する部分においては、前記踊り場ユニット２２間の階段ユニット２３に代えて、最上部の踊り場ユニット２２の踊り場床組２５と建築物Ｂの屋上階Ｂｂとの間に、屋上用階段ユニット３０を架設する。そして、屋上用階段ユニット３０における第１ささら板６７の下端の取付部６７ｂを、最上部の踊り場ユニット２２における踊り場床組２５のブラケット４２に取り付ける。そして、この固定板７１を屋上階Ｂｂの床に埋め込まれた複数のボルト７２に挿通するとともに、それらのボルト７２にナット７３を螺合することにより、第２ささら板６８の下端部を屋上階Ｂｂの床に固定する。
【００４２】
その後、図７に示すように、隣接する支柱２４間の必要箇所に、側壁３２を取り付ける。さらに、階段２１の内周側において隣接する支柱２４間に手すり３１をボルトにより固定する。なお、この側壁３２及び手すり３１の固定は、踊り場ユニット２２及び階段ユニット２３の積み上げの進行にあわせて順次行ってもよい。
【００４３】
以上のようにして、踊り場ユニット２２を４コーナ部に配置するとともに、階段ユニット２３を隣接する他の階段ユニット２３に対して直角をなすように配置すれば、図１に示すような平面正方形の階段を施工することができる。
【００４４】
これに対し、図１８（ａ）に示すように、踊り場ユニット２２と階段ユニット２３とを直線状に配置すれば、直線状の階段を施工できる。また、図１８（ｂ）に示すように、踊り場ユニット２２と階段ユニット２３とをそれぞれ隣接させれば、ジグザグ状に昇降する階段を施工できる。ただし、この場合は、隣接する踊り場ユニット２２間に支柱２４の２本分の幅の隙間が形成されるため、その隙間を閉鎖する板材が必要となる。さらに、図１８（ｃ），（ｄ）に示すように、踊り場ユニット２２と階段ユニット２３とを一部で屈曲されるように配置すれば、昇降方向が１８０度反転したり、クランク状に屈曲したりする階段を施工できる。すなわち、踊り場ユニット２２に設けられ、階段ユニット２３を連結するためのブラケット４２の位置を適宜に選択することにより、様々なレイアウトの階段２１を施工することが可能となる。
【００４５】
従って、この実施形態によれば、以下のような効果を得ることができる。
（１）  この階段２１においては、踊り場ユニット２２が、４本の支柱２４と、それらの支柱２４に四隅が支持された踊り場床組２５とより構成されている。このため、４本の支柱２４と踊り場床組２５とよりなる踊り場ユニット２２を、工場においてあらかじめ製作することができる。また、階段ユニット２３，３０が、平行に配置された一対のささら板５１，６７，６８と、そのささら板５１，６７，６８の複数の段部５１ａ，６７ａ，６８ａ上に取り付けられた踏み板５２とより構成されている。このため、ささら板５１，６７，６８と複数の踏み板５２とよりなる階段ユニット２３，３０を、工場においてあらかじめ製作することができる。しかも、踊り場ユニット２２や階段ユニット２３，３０を防錆メッキや防錆塗料の槽中に浸漬すれば、各部品に対する防錆処理を短時間で行うことが可能となる。そして、設置現場においては、踊り場ユニット２２と階段ユニット２３，３０とを組み立てれば、階段２１を施工でき、その施工を容易に行うことができる。
【００４６】
（２）  この実施形態の階段２１においては、階段ユニット２３と踊り場ユニット２２とを適宜に組み合わせることにより、多様なレイアウトの階段の施工が可能となり、設計プランを自在に選択することができる。
【００４７】
（３）  この実施形態の階段２１においては、部材の組み付けにおける溶接を製造工場で行い、施工現場における組み付けはボルトにより行って、溶接を行わないようにしている。従って、施工現場においては、あらかじめ製作された部品をボルト締めすることにより階段２１を簡単に施工できる。
【００４８】
（４）  この実施形態の階段２１においては、階段ユニット２３と踊り場ユニット２２とを交互に組みあわせ、かつ階段ユニット２３がその上下に隣接する他の階段ユニット２３に対して直角配置となるように構成すれば、平面正方形の階段を施工できる。従って、階段２１を建築物Ｂのコーナ部等に設置する場合、正方形状の狭い設置スペースで建築物Ｂに対して収まりよく設置することができる。従って、設計プランの自由度を確保できる。
【００４９】
（５）  この階段２１においては、階段ユニット２３の各踏み板５２の両端が、ささら板５１から両側方へ突出するように構成されている。よって、階段ユニット２３の両側部にささら板５１が露出することを抑制することができて、外観を良好に保つことができる。
【００５０】
（６）  この階段２１においては、支柱２４及び補助支柱２６としてアングル材を用いている。このため、側壁３２を設けた場合、その側壁３２間には支柱２４及び補助支柱２６の厚さによって表れる端面のみが認められることになり、外観を良好に保つことができる。
【００５１】
（７）  この階段２１においては、踊り場ユニット２２の踊り場床組２５が、対角線上に位置する支柱２４間に固定され、互いに交叉する複数の第１補強部材３５（３５Ａ，３５Ｂ）と、その第１補強部材３５Ａ，３５Ｂ間に架設された複数の第２補強部材３６と、両補強部材３５Ａ，３５Ｂ，３６の上面に支持された床板３７とから構成されている。このため、踊り場床組２５を強固に形成することができて、踊り場床組２５、ひいては階段２１全体の強度を高めることができる。
【００５２】
（８）  この階段２１においては、踊り場ユニット２２の隣接する支柱２４間に補助補強部材４３が設けられている。このため、補助補強部材４３により隣接する支柱２４を平行状態に保持することができる。
【００５３】
（９）  この階段２１においては、踊り場ユニット２２の隣接する一対の支柱２４間に位置するように、踊り場床組２５に一対のブラケット４２が設けられ、そのブラケット４２に階段ユニット２３のささら板５１の端部が固定されるように構成されている。よって、踊り場床組２５のブラケット４２に階段ユニット２３のささら板５１の端部を固定することにより、階段ユニット２３を踊り場ユニット２２に対して容易に組み立てることができる。
【００５４】
（１０）  この階段２１においては、隣接する支柱２４間に側壁３２を設けることができる。このため、階段ユニット２３や踊り場ユニット２２の隠蔽することができて、階段２１全体の外観を良好に保つことができるとともに、階段２１外に対する物等の落下防止を図ることができる。
【００５５】
（１１）  この階段２１においては、階段ユニット２３の踏み板５２，６９が蹴上げ板部５２ｂ等を備えるように折り曲げられているため、踏み板５２，６９全体がアングル状をなす。このため、階段ユニット２３の強度を向上させ、ひいては階段２１全体を頑丈にできる。
【００５６】
（変更例）
なお、この実施形態は、次のように変更して具体化することも可能である。
・  前記実施形態においては、踊り場ユニット２２の支柱２４が断面形ほぼＬ字状の鋼材により構成されているが、この支柱２４を四角筒状，パイプ状，断面Ｈ型状等の各種形状の鋼材により構成してもよい。
【００５７】
・  前記実施形態においては、側壁３２として板状のものが用いられているが、この側壁３２として格子状あるいは網状のものを用いてもよい。
・  前記実施形態においては、建築物Ｂの１階と対応する部分に立設する４つの踊り場ユニット２２について、支柱２４の長さ調整を階段２１の設置現場で行うようにしているが、この長さ調整作業を踊り場ユニット２２の製造工場で行うようにしてもよい。
【００５８】
・  前記実施形態においては、建築物Ｂの一階と対応する部分に立設する４つの踊り場ユニット２２について、支柱２４の下端部に対する第１固定板５８の溶接を工場で行うようにしているが、この溶接作業を施工現場で行うようにしてもよい。
【００５９】
・  前記実施形態においては、建築物Ｂの一階と対応する最下部の階段ユニット２３について、ささら板５１の下端部に対する第２固定板５９の溶接を工場で行うようにしているが、この溶接作業を施工現場で行うようにしてもよい。
【００６０】
・  前記実施形態においては、建築物Ｂの屋上階Ｂｂに設置する屋上用階段ユニット３０について、第２ささら板６８の下端部に対する固定板７１の溶接を工場で行うようにしているが、この溶接作業を施工現場で行うようにしてもよい。
【００６１】
・  階段ユニット２３の踏み板５２，６９の蹴上げ板部をなくしてもよい。
（別の技術的思想）
さらに、上記実施形態により把握される請求項以外の技術的思想について記載する。
【００６２】
（Ａ）  前記階段ユニットの踏み板は、その両端がささら板から両側方へ突出されたことを特徴とする前記請求項３に記載の階段。このように構成すれば、ささら板が踏み板の端部から奥まって位置するため、そのささら板が目立つことを防止でき、良好な外観を得ることができる。
【００６３】
（Ｂ）  前記踊り場ユニットの踊り場床組は、対角線上に位置する支柱間に固定され、互いに交叉する補強部材と、その補強部材の上面に支持された床板とを備えたことを特徴とする請求項４または前記技術的思想（Ａ）項に記載の階段。このようにすれば、踊り場床組及び踊り場ユニット全体の強度を向上できる。
【００６４】
（Ｃ）  前記踊り場ユニットの隣接する支柱間に補助補強部材を設けたことを特徴とする前記技術的思想（Ｂ）項に記載の階段。このようにすれば、支柱間の強度を向上できる。
【００６５】
（Ｄ）  前記踊り場ユニットの踊り場床組は、隣接する一対の支柱間の位置に一対のブラケットを有し、そのブラケットに前記階段ユニットのささら板の端部を固定したことを特徴とする請求項３、前記技術的思想（Ａ）〜（Ｃ）項のうちのいずれか一項に記載の階段。このようにすれば、踊り場ユニットと階段ユニットとを簡単に連結できるとともに、ブラケットの位置を適宜に設定することにより、階段全体の平面形状を自在に選択できる。
【００６６】
（Ｅ）  前記階段ユニットの上方空間及び前記踊り場ユニットの踊り場床組の上方空間の外側を覆うように、隣接する踊り場ユニットの支柱間に側壁を設けたことを特徴とする請求項３、前記技術的思想（Ａ）〜（Ｄ）項のうちのいずれか一項に記載の階段。
【００６７】
（Ｆ）  請求項１〜４，前記技術的思想（Ａ）〜（Ｅ）項のうちのいずれか一項に記載の踊り場ユニット。
（Ｇ）  請求項１〜４，前記技術的思想（Ａ）〜（Ｅ）項のうちのいずれか一項に記載の階段ユニット。
【００６８】
（Ｈ）  製造工場において溶接によりあらかじめ製作された部材を用い、施工現場においてあらかじめ製作された部材をボルトにより固定するようにしたことを特徴とする前記技術的思想（Ｆ）項または（Ｅ）項に記載の階段ユニット。
【図面の簡単な説明】
【００６９】
【図１】一実施形態の階段を建築物の複数階と対応する部分において断面にして示す要部横断面図。
【図２】図１の階段の要部斜視図。
【図３】同階段を建築物の一階と対応する部分において断面にして示す要部横断面図。
【図４】図３の４−４線における部分断面図。
【図５】同階段を建築物の屋上階と対応する部分において断面にして示す要部横断面図。
【図６】図５の６−６線における部分断面図。
【図７】隣接する踊り場ユニットの支柱間に側壁を取り付けた状態を示す要部斜視図。
【図８】１つの踊り場ユニットを拡大して示す斜視図。
【図９】同踊り場ユニットを拡大して示す平面図。
【図１０】同踊り場ユニットの要部横断面図。
【図１１】図９の１１−１１線における部分拡大断面図。
【図１２】図４及び図６における踊り場ユニットの上下支柱間の連結構造を拡大して示す部分側面図。
【図１３】図１２の１３−１３線における拡大断面図。
【図１４】１つの階段ユニットを拡大して示す斜視図。
【図１５】同階段ユニットの分解斜視図。
【図１６】図４の１６−１６線における部分拡大断面図。
【図１７】図６に示す屋上階用の階段ユニットの固定構造を示す要部拡大断面図。
【図１８】（ａ）〜（ｄ）は各種の変形例を示す簡略平面図。
【図１９】従来の階段を示す要部横断面図。
【符号の説明】
【００７０】
２１…階段、２２…踊り場ユニット、２３…階段ユニット、２４…支柱、２５…踊り場床組、３０…屋上用階段ユニット、３２…側壁、３５…第１補強部材、３５Ａ…第１補強部材、３５Ｂ…第１補強部材、３６…第２補強部材、３７…床板、４２…ブラケット、４３…補助補強部材、４５…固定金具、５１…ささら板、５１ａ…段部、５１ｂ…上端取付部、５１ｃ…下端取付部、５２…踏み板、５２ａ…踏み板本体部、５２ｂ…蹴上げ板部、Ｂ…建築物。
【図１】
2010106637.tif 000003
【図２】
2010106637.tif 000004
【図３】
2010106637.tif 000005
【図４】
2010106637.tif 000006
【図５】
2010106637.tif 000007
【図６】
2010106637.tif 000008
【図７】
2010106637.tif 000009
【図８】
2010106637.tif 000010
【図９】
2010106637.tif 000011
【図１０】
2010106637.tif 000012
【図１１】
2010106637.tif 000013
【図１２】
2010106637.tif 000014
【図１３】
2010106637.tif 000015
【図１４】
2010106637.tif 000016
【図１５】
2010106637.tif 000017
【図１６】
2010106637.tif 000018
【図１７】
2010106637.tif 000019
【図１８】
2010106637.tif 000020
【図１９】
2010106637.tif 000021